(57)【要約】      （修正有）【課題】基板に接続されたハーネスの変造ハーネスへの不正交換を防止する。【解決手段】ケーブル抜脱防止装置は、基板側コネクタ２６を有する制御基板２５を収容する基板ケース２０と、基板側コネクタに接続されるケーブル側コネクタ５３を先端に有したハーネスＨとを備え、基板ケースに基板側コネクタと対向してコネクタ挿入孔４１が形成され、基板側コネクタとケーブル側コネクタが接続された状態で、ハーネスケーブルがコネクタ挿入孔を通って基板ケースの外側に延びる。このハーネスケーブル上に且つ基板ケース内に位置してコネクタ挿入孔の開口より大きな形状の抜脱防止部材８３が装着され、抜脱防止部材の先端がケーブル側コネクタに近接するとともに後端が基板ケースの壁部内面に近接して位置し、ケーブルを引っ張ったときにケーブル側コネクタが抜脱防止部材に当接し、抜脱防止部材はコネクタ挿入孔の周囲の壁部に当接して抜脱されるのを規制する。【選択図】図８
2008119494.tif 000002
【特許請求の範囲】
【請求項１】
基板側コネクタを有する基板と、遊技機に取り付けられて内部に前記基板を収容する基板ケースと、前記基板ケース内に収容された前記基板の前記基板側コネクタに接続されるケーブル側コネクタを先端に有したケーブルとを備え、
前記基板ケースに、前記基板ケースを構成する壁部を貫通するとともに前記基板ケースに収容された前記基板の前記基板側コネクタと対向してコネクタ挿入孔が開口形成されており、
前記基板ケース内に収容された前記基板の前記基板側コネクタと前記ケーブル側コネクタが接続された状態で、前記ケーブルが前記コネクタ挿入孔を通って前記基板ケースの外側に延びて構成される遊技機において、
前記基板側コネクタに接続されて前記コネクタ挿入孔から外方に延出する前記ケーブル上に且つ前記基板ケース内に位置して装着されるとともに前記コネクタ挿入孔の開口より大きな形状の抜脱防止部材を有し、
前記抜脱防止部材が前記ケーブル上で前記基板ケース内に位置して装着された状態において、前記抜脱防止部材の先端が前記ケーブル側コネクタに近接するとともに後端が前記基板ケースの壁部内面に近接して位置し、前記ケーブルを抜脱させる方向に引っ張ったときに前記ケーブル側コネクタが前記抜脱防止部材に当接するとともに前記抜脱防止部材は前記コネクタ挿入孔の周囲の前記壁部に当接して前記ケーブル側コネクタが前記基板側コネクタから抜脱されるのを規制するように構成されていることを特徴とする遊技機のケーブル抜脱防止装置。
【請求項２】
前記抜脱防止部材は、接合可能な２つの第１分割部材及び第２分割部材と、これらの前記第１分割部材及び前記第２分割部材を接合した状態で保持する接合保持手段とを有して構成され、
前記基板ケースの内側において前記ケーブルを中央にしてその両側から挟み込むようにして前記第１分割部材及び前記第２分割部材を接合させ、前記接合保持手段により前記第１分割部材及び前記第２分割部材を一体に且つ前記基板ケース内において前記ケーブル上に装着するように構成されていることを特徴とする請求項１記載の遊技機のケーブル抜脱防止装置。
【発明の詳細な説明】
【技術分野】
【０００１】
本発明は、遊技機のケーブル抜脱防止装置に関し、更に詳細には、基板に接続されるケーブルを不正に交換する不正行為を防止する遊技機のケーブル抜脱防止装置に関する。
【背景技術】
【０００２】
パチンコ遊技機やスロットマシン等の遊技機には遊技機の作動を制御する制御基板が設けられている。例えば、パチンコ遊技機では外枠に対して開閉可能に取り付けられた前枠の裏側に配設された収容枠に遊技盤及び裏機構盤が開閉可能に装備され、この裏機構盤に制御基板（メイン基板）が取り付けられている。この制御基板は賞球の払出制御や電動役物の開閉制御、図柄組み合わせの発生確率制御などを始めとして、パチンコ機全体の作動を統括的に制御する制御基板であり、遊技機の制御ソフトウェアが記録されたＲＯＭを搭載してパチンコ機の作動を制御する中枢制御装置としての役割を有している。このため、制御基板は偽造ＲＯＭへの差し替え等の不正行為を防止するため基板ケース内に収容されている（例えば、特許文献１参照）。
【０００３】
制御基板には基板側コネクタが取り付けられ、この基板側コネクタには、電動役物等の入賞装置に遊技球が入ったことを検出するスタートセンサ等と電気的に接続されたケーブルの先端に取り付けられたケーブル側コネクタが接続されている。基板側コネクタは基板ケースから外側に延び出た基板ケースに配設されたものや、基板ケース内の制御基板上に配設されたものがある。
【０００４】
基板側コネクタが基板ケース内に配設されたタイプのものでは、ケーブル側コネクタを基板ケースの外側から基板ケースに設けられたコネクタ挿入孔に通して基板側コネクタに接続させて、ケーブルと制御基板が電気的に接続される。また、基板ケースの外部に基板側コネクタが配設されたタイプのものでは、ケーブル側コネクタを基板ケースの外部に露出した基板側コネクタに接続させることでケーブルと制御基板が電気的に接続される。
【０００５】
【特許文献１】特開２０００−２３７３８７号公報
【発明の開示】
【発明が解決しようとする課題】
【０００６】
ここで、基板ケースの外部に配設された基板側コネクタや基板ケースの内部に配設された基板側コネクタに接続されたケーブルを交換する場合、基板ケースの外部に配設された基板側コネクタは露出状態にあり、また基板ケース内の基板側コネクタはコネクタ挿入孔を介して外部から把持して引き抜きが可能であるので、ケーブルの交換作業は容易である。
【０００７】
その結果、入賞装置に遊技球が入ったときにスタートセンサから出力されるスタート信号が制御基板に送られた状態と同一状態になるように基板側コネクタに接続されたケーブルを変造ケーブルに交換する不正行為を許してしまう虞があり、変造ケーブルに交換する不正行為を防止したいという要望がある。
【０００８】
本発明は、このような問題に鑑みてなされたものであり、基板に接続されるケーブルを変造ケーブルに交換する不正行為を防止する遊技機のケーブル抜脱防止装置を提供することを目的とする。
【課題を解決するための手段】
【０００９】
本発明のケーブル抜脱防止装置は、基板側コネクタを有する基板と、遊技機に取り付けられて内部に前記基板を収容する基板ケースと、前記基板ケース内に収容された前記基板の前記基板側コネクタに接続されるケーブル側コネクタを先端に有したケーブルとを備え、前記基板ケースに、前記基板ケースを構成する壁部を貫通するとともに前記基板ケースに収容された前記基板の前記基板側コネクタと対向してコネクタ挿入孔が開口形成されており、前記基板ケース内に収容された前記基板の前記基板側コネクタと前記ケーブル側コネクタが接続された状態で、前記ケーブルが前記コネクタ挿入孔を通って前記基板ケースの外側に延びて構成される遊技機において、前記基板側コネクタに接続されて前記コネクタ挿入孔から外方に延出する前記ケーブル上に且つ前記基板ケース内に位置して装着されるとともに前記コネクタ挿入孔の開口より大きな形状の抜脱防止部材を有し、前記抜脱防止部材が前記ケーブル上で前記基板ケース内に位置して装着された状態において、前記抜脱防止部材の先端が前記ケーブル側コネクタに近接するとともに後端が前記基板ケースの壁部内面に近接して位置し、前記ケーブルを抜脱させる方向に引っ張ったときに前記ケーブル側コネクタが前記抜脱防止部材に当接するとともに前記抜脱防止部材は前記コネクタ挿入孔の周囲の前記壁部に当接して前記ケーブル側コネクタが前記基板側コネクタから抜脱されるのを規制するように構成される。
【００１０】
上記構成のケーブル抜脱防止装置において、抜脱防止部材は、接合可能な２つの第１分割部材及び第２分割部材と、これら第１分割部材及び第２分割部材を接合した状態で保持する接合保持手段とを有して構成され、前記基板ケースの内側において前記ケーブルを中央にしてその両側から挟み込むようにして前記第１分割部材及び前記第２分割部材を接合させ、前記接合保持手段により前記第１分割部材及び前記第２分割部材を一体に且つ前記基板ケース内において前記ケーブル上に装着するように構成されるのが好ましい。
【発明の効果】
【００１１】
上記構成のケーブル抜脱防止装置によれば、コネクタ挿入孔に挿通された基板ケース内のケーブル上に抜脱防止部材を装着した状態でコネクタ挿入孔から基板ケースの外側へ延出するケーブルを抜脱させる方向に引っ張ると、抜脱防止部材はコネクタ挿入孔を形成した基板ケース内側に当接してコネクタ挿入孔を通って抜け出せず、ケーブルを基板ケースから抜脱されるのを防止するので、ケーブルを変造ケーブルに交換する不正行為を防止することができる。
【００１２】
また、上記構成のケーブル抜脱防止装置において、抜脱防止部材を接合可能な２つの第１分割部材及び第２分割部材と接合保持手段を有して構成した場合に、コネクタ挿入孔に挿通された基板ケース内のケーブルの両側からケーブルを挟み込むようにして第１分割部材及び第２分割部材を接合させると、係合部に係止部が係止された状態となって第１分割部材及び第２分割部材が一体化される。その結果、ケーブルに抜脱防止部材を簡単に後付けすることができる。
【発明を実施するための最良の形態】
【００１３】
以下、本発明に関連するケーブル抜脱防止装置の好ましい実施の形態を図１から図９に基づいて説明する。但し、本発明に係る実施形態は、図８及び図９に主として示している。本実施の形態はケーブル抜脱防止装置をパチンコ機に適用した場合の態様を示す。最初に、ケーブル抜脱防止装置を説明する前にこのケーブル抜脱防止装置を搭載したパチンコ機を説明する。
【００１４】
図１及び図２は、パチンコ機ＰＭの前面斜視図および背面斜視図を示しており、これらの図が示すように、機枠又は機体として所定の外郭方形枠サイズに構成された固定保持用の外枠１の前側に、これに合わせた方形枠サイズに構成された開閉搭載用の前枠２が、正面左側上下部に配設された開閉ヒンジ３ａ，３ｂ及び正面右側内部に配設された施錠装置４を利用して、横開き開閉可能に組付けられて閉鎖状態に保持されている。
【００１５】
前枠２の前側面域には、この領域サイズに合わせた方形枠サイズのガラス扉（ガラス窓ともいう）５が前枠２に対して図１における左側縁をヒンジ結合されて横開き開閉自在に設けられ、その下部に上、下の球皿７ａ，７ｂ及び打球発射装置８等が夫々装備されている。前枠２の裏側には方形枠サイズの収容枠６が前枠２と一体に形成されており、パチンコゲームを展開し得る遊技盤９が収容枠６の収容面域に対して水平姿勢・位置の縦向きで着脱交換可能にセット保持されて、前面の遊技領域をガラス扉５の正面に臨ませている。
【００１６】
遊技盤９には所定のゲージ設定（電動役物等の入賞装置器具や図柄表示装置、風車、ランプ具などの各種遊技部品と多数本の遊技釘とを合わせた配置設定）に基づく遊技領域が構成されており、その裏側に予備賞球用のタンク１１および整列部材１２、受電・入出力用のターミナル基板１３、払出し機構１４などを備えた裏機構盤１０が収容枠６に対して横開き開閉自在に装備されている。
【００１７】
裏機構盤１０の背面にはメイン基板２５が配設されている。メイン基板２５は、パチンコ機ＰＭ固有の制御ソフトウェアが記録された演算処理回路（ＲＯＭ）を有してパチンコ機ＰＭの作動を制御する中枢制御装置であり、払出し機構１４による賞球の払出しや、遊技盤９における電動役物の開閉制御、図柄組み合わせの発生確率制御などを始めとしてパチンコ機ＰＭ全体の作動を統括的に制御する制御基板である。メイン基板２５は不正改造行為を防止するため基板ケース２０内に収容されてネジ止め固定されており、この基板ケース２０ごとを一体として裏機構盤１０の基板保持枠１７に着脱可能に取り付けられている。
【００１８】
基板ケース２０は、図３を更に追加して説明すると、基板保持枠１７に取り付けられるケース本体部材３０と、このケース本体部材３０に着脱自在に取り付けられるケース蓋部材４０とから構成され、ケース本体部材３０とケース蓋部材４０の左右両端部にはケース内部に収容したメイン基板２５に不正な改造操作が行われないようにケース本体部材３０とケース蓋部材４０とを接続して封鎖する封鎖手段４３が設けられている。
【００１９】
このため、基板ケース２０は、封鎖手段４３でケース本体部材３０とケース蓋部材４０とが接続されていない状態において開閉および着脱が自在であり、ケース蓋部材４０を開いた状態でメイン基板２５の着脱交換や保守点検等を行うことができ、ケース蓋部材４０を閉じると基板収容空間にメイン基板２５を収容保護することができる。尚、ケース本体部材３０及びケース蓋部材４０はともに透明な樹脂材料製であるので、内部に収容されるメイン基板２５を外部から視認可能に構成されている。
【００２０】
ケース蓋部材４０の左側下部にはコネクタ挿入孔４１が形成されている。コネクタ挿入孔４１は、図２に示す基板ケース２０内に収容されたメイン基板２５と基板ケース２０の上方位置に配設された他の基板４７との間を電気的に接続させるハーネスＨやこの先端に接続された後述する先端側ケーブルコネクタを通す孔であり、正面視において横長の矩形状をなしている。
【００２１】
他の基板４７は電動役物等の入賞装置に遊技球（遊技媒体）が入ったことを検出する図示しないスタートセンサと電気的に接続されており、ハーネスＨを介してスタートセンサの検出信号をメイン基板２５に伝達するように構成されている。ここで、図４はケーブル抜脱防止装置６０全体の平面図を示し、図２及び図４に示すように、ハーネスＨの後端側端部には他の基板４７上に取り付けられた基板側コネクタ４９に接続される後端側ケーブルコネクタ５１が取り付けられ、ハーネスＨの先端側端部にはメイン基板２５上に取り付けられた基板側コネクタ２６に接続される先端側ケーブルコネクタ５３が取り付けられている。
【００２２】
さて、このように構成されるハーネスＨには、先端側ケーブルコネクタ５３を基板側コネクタ２６から取り外して基板側コネクタ２６に改造ハーネス（図示せず）を接続させる等の不正行為が行われないように、先端側ケーブルコネクタ５３がコネクタ挿入孔４１から基板ケース２５の外部に引き抜かれないようにするケーブル抜脱防止装置６０が設けられている。
【００２３】
図５はケーブル抜脱防止装置６０の正面図を示し、ケーブル抜脱防止装置６０は、図４、図５及び図６（ａ）に示すように、基板側コネクタ２６に接続されてコネクタ挿入孔４１から外方に延出するハーネスＨ上に移動可能に装着される抜脱防止部材６１を有している。抜脱防止部材６１は、２分割可能な第１分割部材６２及び第２分割部材７２と、これら第１分割部材６２及び第２分割部材７２を接合した状態で保持する接合保持部７５とを有して構成されている。第１分割部材６２は樹脂等の絶縁材料製であり射出成形等により一体成形されたものであり、前後方向に延びる板状の本体部６２ａと、本体部６２ａの先端側の左右両側部に取り付けられ後方側へ向かって斜め外後方側へ傾斜する一対のアーム部６２ｂと、本体部６２ａの後端側の左右両側部に取り付けられ左右方向に突出する矩形状の一対の突出部６２ｃとを有して構成されている。
【００２４】
本体部６２ａの裏側の中間部には前後方向に延びてハーネスＨを収容する収容凹部６２ｄが形成されている。アーム部６２ｂは外部から外力が作用しない状態では斜め外後方側へ傾斜した状態にあり、本体部６２の内側方向の力が作用すると本体部側に弾性変形し、その力の作用が無くなると元の位置に戻る。本体部６２ａはコネクタ挿入孔４１を通過可能な大きさに形成され、アーム部６２ｂは本体部６２ａがコネクタ挿入孔４１に挿入されると弾性変形してコネクタ挿入孔４１を通過可能であり、コネクタ挿入孔４１を通過すると外側に拡開して元の状態に戻り、アーム部６２ｂの先端がコネクタ挿入孔４１の外側の位置にくるように構成されている。突出部６２ｃの先端側端部とアーム部６２ｂの先端との間には基板ケース２０の壁部２０ａの厚さ寸法よりも若干大きめの寸法を有した隙間６３が形成されている。
【００２５】
図６（ａ）は図４（ｃ）のＡ−Ａ矢視に相当する部分の断面図を示し、同図に示すように、突出部６２ｃの上面側には矩形状の凹部６４が形成され、凹部６４の底部中央部には下方へ延びて第１分割部材６２の下面から下方へ延出し先端に係止突起６５ａを有した係止部６５が設けられている。係止突起６５ａは左右方向外側へ突出した矢状のランスである。図４（ｃ）に示す本体部６２ａの先端と外側に拡開した状態のアーム部６２ｂの先端との間の寸法Ｌ１は、先端側ケーブルコネクタ５３を基板側コネクタ２６に接続させた状態において、先端側ケーブルコネクタ５３の後端と基板ケース２０の壁部２０ａの内側との間の距離Ｌ２よりも若干小さい寸法を有している。
【００２６】
図４（ａ）に示すように、第２分割部材７２は、第１分割部材６２と略同様の構成であるので、第１分割部材６２と同一の態様部分については第１分割部材６２に準じた符号を附してその説明を省略し、第１分割部材６２との相違点のみを説明する。尚、図中、７２ａは第２分割部材７２の本体部を示し、７２ｂは第２分割部材７２のアーム部を示し、７２ｃは第２分割部材７２の突出部を示し、７２ｄは第２分割部材７２の収容凹部を示している。
【００２７】
第２分割部材７２の突出部７２ｃの凹部７３の中央部には係止部６５の係止突起６５ａを係止する矩形状の係合孔７４が形成されている。図５及び図６（ａ）に示すように、第１分割部材６２と第２分割部材７２の各収容凹部６２ｄ、７２ｄを相対向するように配置して両者を接合状態させすると、ハーネスＨを通す断面が矩形状のハーネス挿通孔７７が形成され、このハーネス挿通孔７７はハーネスＨよりも若干大きめに形成されている。先端側ケーブルコネクタ５３は断面が矩形状であり、ハーネス挿通孔７７よりも大きな形状に形成されている。その結果、先端側ケーブルコネクタ５３はハーネス挿通孔７７を通ることはできない。尚、ケーブル抜脱防止装置６０は、抜脱防止部材６１、先端側ケーブルコネクタ５３及びコネクタ挿入孔４１を有した基板ケース２０とを有して構成されている。
【００２８】
次に、ケーブル抜脱防止装置６０の作動について、ハーネスＨが基板ケース２０から抜脱される方向に引っ張られる場合について説明する。最初に、ハーネスＨに抜脱防止部材６１を装着させる場合について説明する。尚、図４及び図５に示すように、ハーネスＨの先端側ケーブルコネクタ５３はメイン基板２５の基板側コネクタ２６に接続され、ハーネスＨがコネクタ挿入孔４１から基板ケース２０の外部に延出している状態を想定する。
【００２９】
まず、図４（ａ）及び図５（ａ）に示すように、基板ケース２０の外部に延出しているハーネスＨを中央にしてその上下両側に第１分割部材６２と第２分割部材７２の各収容凹部６２ｄ、７２ｄを相対向させるとともに、アーム部６２ｂ、７２ｂがコネクタ挿入孔側に向いた状態に配置する。そして、両者を接近させて接合状態にする。両者が接合状態になると、図５（ｂ）及び図６（ａ）に示すように、各収容凹部６２ｄ、７２ｄによってハーネス挿通孔７７が形成され、このハーネス挿通孔７７にハーネスＨが挿通した状態になる。また、係止部６５が係合孔７４の上部の開口部７４ａから挿入して係止突起６５ａが係合孔７４に係止される。このため、第１分割部材６２と第２分割部材７２は一体化されて抜脱防止部材６１が形成される。尚、ハーネス挿通孔７７はハーネスＨよりも若干大きめに形成されているので、抜脱防止部材６１はハーネスＨ上を移動することができる。
【００３０】
抜脱防止部材６１がハーネスＨに装着されると、図４（ｂ）及び図５（ｂ）に示すように、抜脱防止部材６１をハーネスＨに沿って移動させてハーネス挿通孔４１に挿入させる。抜脱防止部材６１がハーネス挿通孔４１に挿入されると、図４（ｃ）及び図５（ｃ）に示すように、一体となった一対のアーム部６２ｂ、７２ｂが内側に弾性変形してコネクタ挿入孔４１を通り、そして、外側に拡開して元の位置に戻る。また、一体となった一対の突出部６２ｃ、７２ｃの先端が基板ケース２０の壁部２０ａの外側に当接して抜脱防止部材６１の移動を停止させる。その結果、基板ケース２０の壁部２０ａは拡開したアーム部６２ｂ、７２ｂの先端と突出部６２ｃ、７２ｃとの間に挟まった状態となって、抜脱防止部材６１が基板ケース２０に取り付けられた状態になる。また、先端側ケーブルコネクタ５３と抜脱防止部材６１の先端との間には僅かな隙間７９が形成される。
【００３１】
次に、抜脱防止部材６１を基板ケース２０に装着した状態で基板ケース２０から延出するハーネスＨを抜脱させる方向に引っ張る場合について説明する。図４（ｃ）に示すハーネスＨを抜脱させる方向（矢印Ｂ方向）に引っ張ると、ハーネスＨを介して先端側ケーブルコネクタ５３が基板側コネクタ２６から引き抜かれる方向に移動し、抜脱防止部材６１の先端を押圧した状態で当接する。抜脱防止部材６１が先端側ケーブルコネクタ５３により押圧されると、一体となったアーム部６２ｂ、７２ｂの先端が基板ケース２０の壁部２０ａの内側に当接し、抜脱防止部材６１がコネクタ挿入孔４１を通って抜け出せないようにする。その結果、先端側ケーブルコネクタ５３の抜脱される方向への移動が規制され、ハーネスＨが基板ケース２０から抜脱される事態を防止することができる。尚、アーム部６２ｂ、７２ｂは弾性変形可能であるので、ハーネスＨがより強い力で引っ張られると、アーム部６２ｂ、７２ｂはその先端が抜脱防止部材６１の先端側になるように屈曲するが、屈曲したアーム部６２ｂ、７２ｂにより抜脱防止部材６１の移動を規制するので、抜脱防止部材６１がコネクタ挿入孔４１を通って抜け出ることはなく、またハーネスＨも基板ケース２０から引き抜かれることはない。
【００３２】
このように、基板ケース２０から外側に延出するハーネスＨを抜脱させる方向に引っ張ってもハーネスＨが基板ケース２０から抜脱されないので、メイン基板２５に接続されたハーネスＨを改造ハーネス（図示せず）に交換する不正行為を防止することができる。
【００３３】
尚、ハーネスＨを抜脱させる方向に引っ張った場合、先端側ケーブルコネクタ５３が抜脱される方向に移動する移動量は少ない。これは、抜脱防止部材６１が基板ケース２０に装着された状態において抜脱防止部材６１の先端と先端側ケーブルコネクタ５３の後端間に形成される隙間７９の大きさが小さいからである。その結果、ハーネスＨが抜脱させる方向に引っ張られても、先端側ケーブルコネクタ５３が基板側コネクタ２６から抜けることはなく、ハーネスＨとメイン基板２５とを電気的に接続させた状態に維持することができる。
【００３４】
また、前述した実施の形態における抜脱防止部材６１のアーム部６２ｂ、７２ｂは外側後方へ突出した例を示したがこれに限るものではなく、図７（ａ）に示すように、アーム部６２ｂ、７２ｂを三角形状にしてもよく、また、図７（ｂ）に示すように、アーム部６２ｂ、７２ｂを本体部６２ａ、７２ａと別個に製造して本体部６２ａ、７２ａに取り付けるように構成してもよい。これらの場合、三角形状及び別個に製造されるアーム部６２ｂ、７２ｂはともに弾性変形可能なものとする。
【００３５】
また、前述した実施の形態における図６（ａ）に示す第２分割部材７２の突出部７２ｃは下方に開口部７３ａを備えた凹部７３を有した例を示したがこれに限るものではなく、図６（ｂ）に示すように、その開口部７３ａを閉鎖板８１で覆って係合孔７４が抜脱防止部材６１の外側から見えないように構成してもよい。このように構成することで、一体化された第１分割部材６２及び第２分割部材７２の外部から係合孔７４に係止された係止部６５の係止状態を解除させることが困難となり、一体化された第１分割部材及び第２分割部材の分割を防止することができる。尚、閉鎖板８１は第２分割部材７２と別個のものに限るものではなく、第２分割部材７２と一体となって成形されるものでもよい。
【００３６】
更に、前述した実施の形態における抜脱防止部材６１を図８及び図９に示すような形状にすることができる。即ち、この抜脱防止部材８３は図４（ｃ）に示す抜脱防止部材６１の突出部６２ｃ、７２ｃを有した本体部６２ａ、７２ａのみから構成され、先端側の本体部６２ａ、７２ａとこれに取り付けられたアーム部６２ｂ、７２ｂを省略したものである。但し、この抜脱防止部材８３は基板ケース２０から延出するハーネスＨに装着してコネクタ挿入孔４１を通って基板ケース２０内に移動することはできず、基板ケース２０をメイン基板２５に装着する前にコネクタ挿通孔４１にハーネスＨを通し先端側ケーブルコネクタ５３を基板側コネクタ２６に接続させた状態において基板ケース２０内のハーネスＨに装着して使用する点で、前述した図４（ｃ）に示す抜脱防止部材６１と相違する。
【００３７】
図８及び図９に示す抜脱防止部材８３は、図４（ｃ）に示す抜脱防止部材６１の突出部６２ｃ及びこれを有した本体部６２ａからなる第１分割部材８４と、抜脱防止部材６１の突出部７２ｃとこれを有した本体部７２ａからなる第２分割部材８５と、接合保持部７５とからなる。但し、抜脱防止部材８３の先端と後端との距離Ｌ１は、先端側ケーブルコネクタ５３の後端と基板ケ−ス２０の壁部２０ａの内側との間の距離Ｌ２よりも若干小さい寸法に形成されている。
【００３８】
このように構成された抜脱防止部材８３は、基板ケース２０をメイン基板２５に装着する前にコネクタ挿通孔４１にハーネスＨを通し、先端側ケーブルコネクタ５３を基板側コネクタ２６に接続させた状態の基板ケース２０内のハーネスＨにこれを中央として分割状態の第１分割部材８４と第２分割部材８５を互いに接合させて取り付けられる。そして、基板ケース２０をメイン基板２５に装着する。この状態でコネクタ挿入孔４１から延出するハーネスＨを引き抜く方向に引っ張ると、先端側ケーブルコネクタ５３の後端が抜脱防止部材８３に当接し、抜脱防止部材８３の後端が基板ケース２０の壁部２０ａの内側に当接して、先端側ケーブルコネクタ５３の抜脱される方向への移動が規制される。その結果、ハーネスＨが基板ケース２０から抜脱される事態を防止することができ、メイン基板２５に接続されたハーネスＨを改造ハーネス（図示せず）に交換する不正行為を防止することができる。
【図面の簡単な説明】
【００３９】
【図１】本発明の実施形態におけるケーブル抜脱防止装置を有したパチンコ機の正面側斜視図を示す。
【図２】上記ケーブル抜脱防止装置を有したパチンコ機の背面側斜視図を示す。
【図３】本発明の実施の形態における基板ケースの全体斜視図を示す。
【図４】本発明に関連する実施形態におけるケーブル抜脱防止装置の平面図を示し、同図（ａ）は分割状態にある抜脱防止部材を示し、同図（ｂ）は一体化された抜脱防止部材を示し、同図（ｃ）は抜脱防止部材が基板ケースに装着された状態を示す。
【図５】上記ケーブル抜脱防止装置の正面図を示し、同図（ａ）は分割状態にある抜脱防止部材を示し、同図（ｂ）は一体化された抜脱防止部材を示し、同図（ｂ）は抜脱防止部材が基板ケースに装着された状態を示す。
【図６】本発明の実施形態における抜脱防止部材の部分断面図を示す。
【図７】本発明に関連する実施形態における抜脱防止部材の平面図を示す。
【図８】本発明の実施形態におけるケーブル抜脱防止装置の正面図を示し、同図（ａ）は分割状態にある抜脱防止部材を示し、同図（ｂ）は抜脱防止部材がハーネスに装着された状態を示す。
【図９】上記ケーブル抜脱防止装置の平面図を示す。
【符号の説明】
【００４０】
２０  基板ケース
２０ａ  壁部
２５  メイン基板（基板）
２６  基板側コネクタ
４１  コネクタ挿入孔
５３  先端側ケーブルコネクタ（ケーブル側コネクタ）
６０  ケーブル抜脱防止装置
６１、８３  抜脱防止部材
６２、８４  第１分割部材
６２ａ、７２ａ  本体部
６２ｂ、７２ｂ  アーム部
６２ｃ、７２ｃ  突出部
６５  係止部
６５ａ  係止突起
７２、８５  第２分割部材
７４  係合孔（係合部、係合凹部）
７５  接合保持部（接合保持手段）
ＰＭ  パチンコ機（遊技機）
Ｈ  ハーネス（ケーブル）
【図１】
2008119494.tif 000003
【図２】
2008119494.tif 000004
【図３】
2008119494.tif 000005
【図４】
2008119494.tif 000006
【図５】
2008119494.tif 000007
【図６】
2008119494.tif 000008
【図７】
2008119494.tif 000009
【図８】
2008119494.tif 000010
【図９】
2008119494.tif 000011